(57)【特許請求の範囲】
【請求項１】
制御セグメントが送られるフレームを決定するように、ここにおいて、肯定応答チャネルを除くいかなる信号チャネルも前記制御セグメントで送ることができ、並びに前記制御セグメントが送られる各フレームに関して、もしあれば、前記フレーム内の前記制御セグメントで送られるべき信号チャネルのための信号を処理するように、および、前記処理された信号を前記フレーム内の前記制御セグメントに用いられる時間-周波数領域へマッピングする、ここにおいて、複数の端末からの信号が、符号分割多重接続（ＣＤＭＡ）方式を用いて前記制御セグメントで送られ、前記時間-周波数領域がＯＦＤＭシンボルを含む、
ように構成された少なくとも１つのプロセッサと、
少なくとも１つのプロセッサに接続されたメモリーとを含む装置。
【請求項２】
前記制御セグメントが、Ｑを１より大きい整数として、Ｑフレーム毎に送られる請求項１に記載の装置。
【請求項３】
前記制御セグメントは、前記制御セグメントが送られる各フレームのフレーム全体に広がる請求項１に記載の装置。
【請求項４】
各フレームが複数のサブバンドをカバーし、かつ前記制御セグメントが、設定可能なサイズを有し、整数のサブバンドで送られる請求項１に記載の装置。
【請求項５】
信号チャネルの各々に関して、前記少なくとも１つのプロセッサが、符号化されたメッセージを得るために前記信号チャネルのためのメッセージを符号化し、かつ前記符号化されたメッセージを前記信号チャネルのためのチャネル化符号でチャネル化するように構成された請求項１に記載の装置。
【請求項６】
前記信号チャネルの各々に関して、前記少なくとも１つのプロセッサが、前記メッセージを複数のウォルシュシーケンスの１つへマッピングすることによって前記信号チャネルのための前記メッセージを符号化するように構成された請求項５に記載の装置。
【請求項７】
前記信号チャネルの各々に関して、前記少なくとも１つのプロセッサが、前記信号チャネルのインデックスと前記信号チャネルを受信するように意図された基地局の識別子とに基づいて前記信号チャネルのための前記チャネル化符号を生成するように構成された請求項５に記載の装置。
【請求項８】
前記信号チャネルのためのメッセージが同じ長さを有する請求項１に記載の装置。
【請求項９】
前記少なくとも１つのプロセッサが、前記信号チャネルのための前記信号を少なくとも１つのスクランブル用シーケンスでスクランブルするように構成された請求項１に記載の装置。
【請求項１０】
前記少なくとも１つのプロセッサが、前記信号チャネルを受信するように意図された基地局の識別子に基づいて前記少なくとも１つのスクランブル用シーケンスの１つを生成するように構成された請求項９に記載の装置。
【請求項１１】
前記少なくとも１つのプロセッサが、前記信号チャネルを送る端末の識別子と前記信号チャネルを受信するように意図された基地局の識別子とに基づいて前記少なくとも１つのスクランブル用シーケンスの１つを生成するように構成された請求項９に記載の装置。
【請求項１２】
前記少なくとも１つのプロセッサが、前記信号チャネルのための前記信号を結合し、結合された信号を周波数ドメインに変換して信号シンボルを得、および前記信号シンボルを前記フレーム内の前記制御セグメントに用いられる前記時間-周波数領域へマッピングするように構成された請求項１に記載の装置。
【請求項１３】
前記信号チャネルが、チャネル品質指標（ＣＱＩ）を搬送する信号チャネルを含む請求項１に記載の装置。
【請求項１４】
前記少なくとも１つのプロセッサが、ＣＱＩを搬送する前記信号チャネルを複数の基地局へ送るように構成された請求項１３に記載の装置。
【請求項１５】
前記信号チャネルが、ビーム成形用フィードバック情報を搬送する信号チャネルを含む請求項１に記載の装置。
【請求項１６】
前記信号チャネルが、複数のサブバンドの中の少なくとも１つのサブバンドのチャネル品質を示すフィードバック情報を搬送する信号チャネルを含む請求項１に記載の装置。
【請求項１７】
前記信号チャネルが、多入力多出力（ＭＩＭＯ）チャネルの複数空間チャネルに対するフィードバック情報を搬送する信号チャネルを含む請求項１に記載の装置。
【請求項１８】
前記少なくとも１つのプロセッサが、前記フレーム内の前記制御セグメントで送られるべき前記信号チャネルを、各信号チャネルの平均送信インタバルに基づいて決定するように構成された請求項１に記載の装置。
【請求項１９】
前記制御セグメントが、フレームからフレームへ周波数を横断的にホッピングする請求項１に記載の装置。
【請求項２０】
前記少なくとも１つのプロセッサが、トラヒックチャネルに用いられる副搬送波を決定し、前記制御セグメントに割り当てられた副搬送波を決定し、および前記トラヒックチャネルが前記制御セグメントと衝突する場合、前記トラヒックチャネルを前記制御セグメントに割り当てられた副搬送波へマッピングするように構成された請求項１に記載の装置。
【請求項２１】
前記時間-周波数領域が、少なくとも８個のOFDMシンボルおよび１２８個の副搬送波を含む請求項１に記載の装置。
【請求項２２】
コンピュータに、制御セグメントが送られるフレームを決定させるためのコードと、ここにおいて、肯定応答チャネルを除くいかなる信号チャネルも前記制御セグメントで送ることができ、
前記制御セグメントが送られる各フレームに関して、
前記コンピュータに、前記フレーム内の前記制御セグメントで送られるべき信号チャネルのための信号を処理させるためのコードと、ここにおいて、前記信号チャネルのための前記信号を処理させるための前記コードが、前記コンピュータに、前記信号チャネルの各々のメッセージを複数のウォルシュシーケンスの中の１つのウォルシュシーケンスへマッピングさせ、各信号チャネルに対するウォルシュシーケンスを前記信号チャネルのためのチャネル化符号でチャネル化させるためのコードを含み、
前記コンピュータに、前記処理された信号を前記フレーム内の前記制御セグメントに用いられる時間-周波数領域へマッピングさせるためのコードであって、前記時間-周波数領域はOFDMシンボルを含む、コードと
を記録したコンピュータ読み取り可能な記録媒体。
【請求項２３】
コンピュータに、制御セグメントが送られるフレームを決定させるためのコードと、ここにおいて、肯定応答チャネルを除くいかなる信号チャネルも前記制御セグメントで送ることができ、
前記制御セグメントが送られる各フレームに関して、
前記コンピュータに、前記フレーム内の前記制御セグメントに用いられる時間-周波数領域から受信シンボルを抽出させるためのコードと、ここにおいて、前記時間-周波数領域はＯＦＤＭシンボルを含み、
前記コンピュータに、端末によって前記フレーム内の前記制御セグメントで送られた可能性のある信号チャネルを決定させるためのコードと、
前記コンピュータに、前記端末によって送られた信号を復元するために、前記送られた可能性のある信号チャネルのための前記受信シンボルを処理させるためのコードと、ここにおいて、前記送られた可能性のある信号チャネルのための前記受信シンボルを処理させるためのコードが、前記コンピュータに、受信サンプルを得るために前記受信シンボルを時間ドメインに変換させ、前記受信サンプルを少なくとも１つのスクランブル用シーケンスでデスクランブルさせるためのコードを含む、
を記録したコンピュータ読み取り可能な記録媒体。
【発明の詳細な説明】
【技術分野】
【０００１】
本開示は一般に通信に関する。より詳細には、無線通信システムにおける信号伝送に関する。
【背景技術】
【０００２】
無線通信システムは、音声、パケットデータ、放送、メッセージ伝送などの種々の通信サービスを提供するために広く展開される。これらのシステムは、利用可能な資源を共有して複数のユーザに対する通信をサポートすることができる多重接続システムであるかもしれない。そのような多重接続システムの例は符号分割多重接続（ＣＤＭＡ）システム、時分割多重接続（ＴＤＭＡ）システム、および周波数分割多重接続（ＦＤＭＡ）システムを含む。
【０００３】
通常、通信システムは順方向リンクおよび逆方向リンクでのデータ伝送をサポートするために種々の信号チャネルを利用する。順方向リンク（または、ダウンリンク）は基地局から端末への通信リンクを指し、逆方向リンク（または、アップリンク）は端末から基地局への通信リンクを指す。例えば、端末は、１つまたは両リンクでのデータ送信を要求するためと、チャネル品質を連絡するためと、より強い基地局へハンドオフする要求をするためなどに、逆方向リンクで信号を送るかもしれない。端末によって送られた信号は、有益であるが、システムにおけるオーバヘッドの代表的なものである。
【０００４】
したがって、当業者には通信システムにおいて逆方向リンクで信号を効率的に送る技術が求められている。
【発明の概要】
【０００５】
無線通信システムの逆方向リンクでＣＤＭＡ制御セグメント上の信号を効率的に送る技術をここに説明する。ＣＤＭＡ制御セグメントは種々の設定可能な特徴を有する。一実施例において、ＣＤＭＡ制御セグメントのサイズ、ＣＤＭＡ制御セグメントが送られるフレーム、ＣＤＭＡ制御セグメントで送られるべき信号チャネルなどは設定可能であるかもしれない。種々の形式の信号を搬送する信号チャネルがＣＤＭＡ制御セグメントで送られるかもしれない。また、信号チャネルは制御チャネル、フィードバックチャネル、連絡チャネル、オーバーヘッドチャネルなどとも呼ばれるかもしれない。
【０００６】
ＣＤＭＡ制御セグメントで端末によって信号を送信するための一実施例において、サービス中の基地局に対するＣＤＭＡ制御セグメントの送信パラメータが決定される。これらのパラメータは、例えば、ＣＤＭＡ制御セグメントサイズ、ＣＤＭＡ制御セグメントを送るためのフレーム、ＣＤＭＡ制御セグメントの周波数ホッピングなどを示すかもしれない。また、端末に対する動作可能なＣＤＭＡ信号チャネルおよび動作可能なＣＤＭＡ信号チャネルの各々に対する平均送信インタバルも決定される。ＣＤＭＡ制御セグメントが送られる各フレームに関して、フレーム内のＣＤＭＡ制御セグメントで送られるべき信号チャネルが決定される。各信号チャネルの信号は処理される。例えば符号化され、チャネル化され、スケーリングされ、およびスクランブルされる。すべての信号チャネルの処理済み信号は結合され、フレーム内のＣＤＭＡ制御セグメントに用いられる時間-周波数領域へマッピングされる。
【０００７】
本発明の種々の態様および実施例は以下にさらに詳細に説明される。
【図面の簡単な説明】
【０００８】
【図１】無線通信システムを示す図。
【図２Ａ】順方向および逆方向リンクのスーパフレームを示す図。
【図２Ｂ】逆方向リンクのためのインタレース構造を示す図。
【図３Ａ】１つの搬送波のための図３Ｂと異なるサイズを有する周波数ホッピングＣＤＭＡ制御セグメントを示す図。
【図３Ｂ】１つの搬送波のための図３Ａと異なるサイズを有する周波数ホッピングＣＤＭＡ制御セグメントを示す図。
【図３Ｃ】４つの搬送波のための周波数ホッピングＣＤＭＡ制御セグメントを示す図。
【図４】順方向リンク上のＨ-ＡＲＱ送信を示す図。
【図５】基地局および端末のブロック図。
【図６】送信データおよび信号のためのプロセッサのブロック図。
【図７】受信データおよび信号のためのプロセッサのブロック図。
【図８】ＣＤＭＡ制御セグメント上の信号送信を制御するための処理を示す図。
【図９】ＣＤＭＡ制御セグメント上の信号送信を制御するための処理を示す図。
【図１０】ＣＤＭＡ制御セグメントで信号を送るための処理を示す図。
【図１１】ＣＤＭＡ制御セグメントで信号を送るための処理を示す図。
【図１２】ＣＤＭＡ制御セグメントで送られた信号を受信するための処理を示す図。
【図１３】ＣＤＭＡ制御セグメントで送られた信号を受信するための処理を示す図。
【発明の詳細な説明】
【０００９】
同じ参照記号は全般にわたり同一として取り扱う図面と共に、本発明の特徴および本質は、以下に記載される詳細な説明からより明らかになるだろう。
【００１０】
「代表的」という言葉は、ここでは「例、実例、または例証として役立つこと」を意味するために用いられる。ここで「代表的」と説明されるいかなる実施例または設計も、必ずしも他の実施例より好ましいまたは有利であると解釈されるべきではない。
【００１１】
図１に複数の基地局１１０および複数の端末１２０を備えた無線通信システム１００を示す。基地局は端末と交信する局である。基地局はアクセスポイント、ノードＢおよび／または他のネットワークエンティティとよばれるかもしれないし、またそれらの機能のいくつかまたはすべてを含むかもしれない。各基地局１１０は特定の地理的領域１０２に通信カバレッジを提供する。用語「セル」はその用語が用いられる文脈に依存して基地局および／またはそのカバレッジを指すかもしれない。システム容量を向上するために、基地局のカバレッジ領域は複数のより小さい領域、例えば、３つのより小さい領域１０４ａ、１０４ｂ、および１０４ｃに分割されるかもしれない。より小さい領域の各々はそれぞれの基地局サブシステム（ＢＴＳ）のサービスを受ける。用語「セクタ」はその用語が用いられる文脈に依存してＢＴＳおよび／またはそのカバレッジ領域を指すかもしれない。セクタ化されたセルにおいて、そのセルのすべてのセクタ用のＢＴＳはそのセル用の基地局内に通常は共同設置される。
【００１２】
通常は、端末１２０はシステム全体にわたり分散され、各端末は固定または移動であるかもしれない。端末はまた、移動局、ユーザ機器、および／または他の機器と呼ばれるかもしれないし、またそれらのいくつかまたはすべての機能を含むかもしれない。端末はワイヤレス機器、携帯電話、携帯情報端末（ＰＤＡ）、無線モデムカードなどであるかもしれない。端末は順方向および逆方向リンクでゼロ、１、または複数の基地局といつでも交信するかもしれない。
【００１３】
集中化したアーキテクチャにおいて、システム制御器１３０は複数の基地局１１０と接続し、これらの基地局に調整と制御を提供する。システム制御器１３０は単一のネットワークエンティティまたはネットワークエンティティの集合であるかもしれない。分散アーキテクチャにおいて、基地局は必要に応じて相互に交信するかもしれない。
【００１４】
ここに説明する信号伝送技術はセクタ化しないセルを備えたシステムと同様にセクタ化したセルを備えたシステムに対しても用いられるかもしれない。明快さのために、本技術はセクタ化したセルを備えたシステムについて以下に説明される。以下の説明において、用語「基地局」および「セクタ」は互換性を持って用いられる。
【００１５】
また、ここに説明する信号伝送技術はＣＤＭＡシステム、ＴＤＭＡシステム、ＦＤＭＡシステム、直交周波数分割多重接続（ＯＦＤＭＡ）システム、単一搬送波ＦＤＭＡ（ＳＣ-ＦＤＭＡ）システムなどのような種々の無線通信システムに用いられるかもしれない。ＯＦＤＭＡシステムは直交周波数分割多重（ＯＦＤＭ）を利用する。これは、システム帯域幅全体を複数（Ｋ個）の直交副搬送波へ分割する変調技術である。これらの副搬送波はトーン、ビンなどとも呼ばれる。ＯＦＤＭにより、各副搬送波はデータで独立に変調されるかもしれない。ＳＣ-ＦＤＭＡシステムは、システム帯域幅にわたり分散された副搬送波で送信するためにインタリーブしたＦＤＭＡ（ＩＦＤＭＡ）を、または隣接副搬送波の１つのブロックで送信するために局所化したＦＤＭＡ（ＬＦＤＭＡ）を、または隣接副搬送波の複数のブロックで送信するために拡張ＦＤＭＡ（ＥＦＤＭＡ）を利用するかもしれない。一般に、変調シンボルはＯＦＤＭにより周波数ドメイン内で、またＳＣ-ＦＤＭＡにより時間ドメイン内で送られる。
【００１６】
システム１００は順方向および逆方向リンクのために種々の副搬送波構造を用いるかもしれない。分散副搬送波構造において、Ｋ個の全副搬送波はＳ個の非オーバラップセットに配列され、その結果各セットがＫ個の全副搬送波にわたり均一に分散されたＮ個の副搬送波を含む。各セットの連続した副搬送波はＳ個の副搬送波だけ離される。ここで、Ｋ＝Ｓ・Ｎである。従って、セットｓはｓ∈｛１，・・・，Ｓ｝として、副搬送波ｓ，Ｓ＋ｓ，２Ｓ＋ｓ，…，（Ｎ−１）・Ｓ＋ｓを含む。ブロック副搬送波構造において、Ｋ個の全副搬送波がＳ個の非オーバラップセットに配列され、その結果各セットがＮ個の連続した副搬送波を含む。従って、セットｓはｓ∈｛１，・・・，Ｓ｝として、副搬送波（ｓ−１）・Ｎ＋１乃至ｓＮを含む。一般に、各リンクに用いられる副搬送波構造は任意の数のセットを含むかもしれない。各セットは任意の方法で配列されるかもしれない任意の数の副搬送波を含むかもしれない。以下の説明の多くの場合に対して仮定される一実施例において、分散またはブロック副搬送波構造は順方向リンクに用いられ、ブロック副搬送波構造は逆方向リンクに用いられる。
【００１７】
システム１００は各リンク用の単一または複数搬送波をサポートするかもしれない。一実施例において、複数（Ｃ）副搬送波が、システムによってサポートされる各搬送波に利用可能である。各搬送波は複数（Ｐ）サブバンドに分割されるかもしれない。１サブバンドはシステム帯域幅内の１周波数範囲である。一実施例において、各搬送波は約５ＭＨｚにわたり、Ｃ＝５１２、Ｐ＝４、Ｓ＝３２、およびＮ＝１６である。この実施例において、単一搬送波システムは４個のサブバンドに配列され、各サブバンドは１２８個の副搬送波を含む全部でＫ＝５１２の副搬送波を有する。この実施例において、単一搬送波システムは、３２個の副搬送波セットを有し、各セットは１６個の副搬送波を含む。この実施例において、４個の搬送波を備えたシステムは１６個のサブバンドに配置された全部でＫ＝２０４８の副搬送波を有する。
【００１８】
順方向リンク上で、基地局はＯＦＤＭＡまたはＳＣ-ＦＤＭＡを用いてＳ個の副搬送波セットでデータを１つまたは複数の端末へ送信するかもしれない。例えば、基地局は１端末当たり１副搬送波セットで、データをＳ個の異なる端末に同時に送信するかもしれない。逆方向リンク上で、１つまたは複数の端末はＯＦＤＭＡまたはＳＣ-ＦＤＭＡを用いてＳ個の副搬送波セットで基地局へデータを送信するかもしれない。例えば、各端末は１つの副搬送波で基地局へデータを送るかもしれない。順方向および逆方向リンクの各々において、Ｓ個の副搬送波セットでの伝送は互いに直交している。各リンクのＳ個の副搬送波セットは以下に説明するように種々の方法で端末に割り当てられる。基地局は空間分割多重接続（ＳＤＭＡ）を用いて、与えられた副搬送波上で複数の端末にデータを送信するかもしれないし、および／または複数の端末からのデータを受信するかもしれない。
【００１９】
ＯＦＤＭシンボルは以下のように１シンボル期間に１つの副搬送波セットに対して生成されるかもしれない。Ｎ個の変調シンボルはセット内のＮ個の副搬送波へマッピングされる。また、信号値が０のゼロシンボルは残りのＫ−Ｎ個の副搬送波へマッピングされる。Ｋ個の時間ドメインのサンプルシーケンスを求めるために、Ｋ点の逆高速フーリエ変換（ＩＦＦＴ）または逆離散フーリエ変換（ＩＤＦＴ）が、Ｋ個の変調シンボルおよびゼロシンボルに実行される。そのシーケンスの最後のＣ個のサンプルは、Ｋ＋Ｃサンプルを含むＯＦＤＭシンボルを形成するためにシーケンスの始めの部分に複写される。Ｃ個の複写されたサンプルはしばしば巡回プレフィックスまたはガードインタバルとよばれる。Ｃは巡回プレフィックス長である。巡回プレフィックスは、システム帯域幅にわたり変化する周波数応答である周波数選択性フェージングに起因するシンボル間干渉（ＩＳＩ）を抑圧するために用いられる。
【００２０】
ＳＣ-ＦＤＭＡシンボルは以下のように、１シンボル期間内の１副搬送波に対して生成されるかもしれない。セット内のＮ個の副搬送波で送られるべきＮ個の変調シンボルは、Ｎ個の周波数ドメインシンボルを得るために、Ｎ点高速フーリエ変換（ＦＦＴ）または離散フーリエ変換（ＤＦＴ）を用いて周波数ドメインに変換される。これらのＮ個の周波数ドメインシンボルはセット内のＮ個の副搬送波にマッピングされ、ゼロシンボルは残りのＫ−Ｎ個の副搬送波にマッピングされる。次に、Ｋ個の時間ドメインサンプルのシーケンスを得るために、Ｋ点ＩＦＦＴまたはＩＤＦＴがＫ個の周波数ドメインシンボルおよびゼロシンボルに実行される。シーケンスの最後のＣ個のサンプルは、Ｋ＋Ｃ個のサンプルを含むＳＣ-ＦＤＭＡシンボルを形成するためにシーケンスの始めの部分に複写される。
【００２１】
一般に、任意数の副搬送波および副搬送波の組合せにおけるＯＦＤＭシンボルまたはＳＣ-ＦＤＭＡシンボルは、送信に用いられる副搬送波へシンボルをマッピングすることにより同様に生成される。ＯＦＤＭシンボルまたはＳＣ-ＦＤＭＡシンボルのＫ＋Ｃ個のサンプルはＫ＋Ｃサンプル／チップ期間に送信される。１シンボル期間は１ＯＦＤＭシンボルまたは１ＳＣ-ＦＤＭＡシンボルの継続時間であり、Ｋ＋Ｃサンプル／チップ期間と等しい。
【００２２】
図２Ａに順方向および逆方向リンクに用いられるかもしれない代表的なスーパフレーム構造２００を示す。各リンクの送信タイムラインはスーパフレームのユニットに分割される。各スーパフレームは固定または設定可能な特定の継続時間を有している。順方向リンクにおいて、各スーパフレームは１つのプリアンブルおよびそれに続くＭ個のフレームを含む。ただしＭ＞１１フレームは伝送タイムライン内の時間インタバルまたはその時間インタバル間に送られた伝送を指すかもしれない。スーパフレームのプリアンブルは、端末が順方向リンク制御チャネルを受信し、その結果システムにアクセスできるようにするオーバヘッド情報を搬送する。後続の各フレームはトラヒックデータ、および／または、信号を搬送するかもしれない。逆方向リンクにおいて、各スーパフレームはＭ個のフレームを含む。第１のフレームは順方向リンク上のスーパフレームのプリアンブルの長さだけ拡大されるかもしれない。逆方向リンク上のスーパフレームは順方向リンク上のスーパフレームに時間的に合わせられる。
【００２３】
図２Ａに順方向および逆方向リンクのための特定のスーパフレーム構造を示す。一般に、スーパフレームは、任意の継続時間にわたるかもしれない。また、任意数のフレームおよび他のフィールドを含むかもしれない。逆方向リンクのスーパフレーム構造は、順方向リンクのスーパフレーム構造と同じまたは異なるかもしれない。
【００２４】
図２Ｂに逆方向リンクのインタレース構造２１０を示す。図２Ａを再度参照して、各リンクにおいて、各スーパフレーム内のフレームは複数のグループへ配列される。各グループはＱ個の連続したフレームを含む。ただしＱ＞１である。フレームのこのグループ分けを用いてＱ個のインタレースが、各リンクに対して形成されるかもしれない。図２Ｂに示す一実施例において、インタレース１はフレーム１、Ｑ＋１、２Ｑ＋１などを含み、インタレース２はフレーム２、Ｑ＋２、２Ｑ＋２などを含み、インタレースＱはフレームＱ、２Ｑ、３Ｑなどを含む。Ｑ個のインタレースは１フレームだけ互いにオフセットされる。以下の説明の多くの場合に対して仮定される一実施例において、Ｑ＝６であり、６個のインタレースが形成され、以下に説明するように、６パケットを各インタレースに１パケットでインタレースの方法で送るために用いられるかもしれない。
【００２５】
システム１００は周波数分割全二重（ＦＤＤ）、および／または、時間分割全二重（ＴＤＤ）をサポートするかもしれない。ＦＤＤにおいて、順方向および逆方向リンクは別々の周波数帯域を割り当てられ、伝送信号は図２Ａに示すように２つのリンクで同時に送られるかもしれない。ＴＤＤにおいて、順方向および逆方向リンクは同じ周波数帯域を共有し、２つのリンクの送信は異なるフレームでなされるかもしれない。例えば、順方向リンクは奇数フレームを割り当てられ、逆方向リンクは偶数フレームを割り当てられるかもしれない。
【００２６】
一実施例において、ＣＤＭＡ制御セグメントは逆方向リンクで送られる。ＣＤＭＡ制御セグメントは逆方向リンクの種々の信号チャネルを搬送する。一実施例において、ＣＤＭＡ制御セグメントは各ＣＤＭＡフレーム内の時間および周波数の固定領域にマッピングされる。ＣＤＭＡフレームはＣＤＭＡ制御セグメントが送られるフレームである。別の実施例において、ＣＤＭＡ制御セグメントは周波数ダイバーシチを達成するために、ＣＤＭＡフレームからＣＤＭＡフレームへ擬似ランダム的または決定論的方法でホッピングする。
【００２７】
図３Ａに単一搬送波のためのＣＤＭＡ制御セグメント３００の一実施例を示す。この実施例において、Ｑ＝６であり、ＣＤＭＡ制御セグメントは１つのインタレース、すなわち６番目のフレーム毎に送られる。この実施例において、ＣＤＭＡ制御セグメントは標準サイズのフレーム全体におよぶ。ＣＤＭＡ制御セグメントがインタレース１で送られる場合、図３Ａに示すように、拡大されたＲＬフレーム１において、ＣＤＭＡ制御セグメントはＦＬフレーム１に対応する時間インタバルに送られるかもしれない。ＣＤＭＡ制御セグメントがインタレース２，３，４，５，または６で送られる場合、ＣＤＭＡ制御セグメントはそのインタレース内の各フレームのフレーム全体で送られるかもしれない。
【００２８】
図３Ｂに単一搬送波のための拡張ＣＤＭＡ制御セグメント３１０の一実施例を示す。この実施例において、Ｑ＝６であり、ＣＤＭＡ制御セグメントは２つの標準サイズのフレームで２つの隣接したインタレースで送られる。図３Ｂに示す実施例において、ＣＤＭＡ制御セグメントは、拡張されたＲＬフレーム１全体、ＲＬフレーム６および７、ＲＬフレーム１２および１３などで送られる。ＣＤＭＡ制御セグメントは、他のＲＬフレームで、および／または２つより多い隣接したインタレース上で送られるかもしれない。
【００２９】
ＣＤＭＡ制御セグメントを、フレームの一部にわたってではなく、図３Ａに示すように１フレーム全体にわたって、または図３Ｂに示すように複数フレーム全体にわたって送ることは、カバレッジの端に位置する端末にとってリンク配分を改善させるかもしれない。通常、これらの端末は送信電力に上限を有する。より長いＣＤＭＡ制御セグメントは、これらの端末がより長い時間にわたってよりエネルギ拡散した信号を送信することを可能にする。これは信号を正しく受信する尤度を向上させる。一般に、ＣＤＭＡ制御セグメントは１フレーム全体にわたって、フレームの一部分にわたって、複数フレームにわたって、複数フレームの部分にわたって、等で送られるかもしれない。
【００３０】
一実施例において、ＣＤＭＡ制御セグメントは各ＣＤＭＡフレーム内の少なくとも１つのサブバンドを占有する。図３Ａに示す実施例において、Ｐ＝４であり、ＣＤＭＡ制御セグメントは各ＣＤＭＡフレーム内の４個のサブバンドの少なくとも１つで送られる。以下の説明の多くの場合に対して仮定される一実施例において、ＣＤＭＡ制御セグメントのサイズは周波数に関して例えばサブバンドの単位でスケーラブルである。この実施例において、ＣＤＭＡ制御セグメントは各ＣＤＭＡフレーム内の１，２，またはおそらくはより多くのサブバンドにわたるかもしれない。ＣＤＭＡ制御セグメントのための（複数の）サブバンドは連続であるかまたはシステム帯域幅全体に拡がっているかもしれない。他の実施例において、ＣＤＭＡ制御セグメントのサイズは時間に関して、または時間、周波数双方に関してスケーラブルであるかもしれない。
【００３１】
一般に、ＣＤＭＡ制御セグメントはＦ個の副搬送波をカバーし、Ｔ個のシンボル期間にわたる時間-周波数領域へマッピングされるかもしれない。ここで図３Ａの左上隅に示すようにＦ≧１，およびＴ≧１である。ＣＤＭＡ制御セグメントはＵ個の伝送ユニットを含む。ここで、Ｕ＝Ｆ・Ｔである。伝送ユニットは１シンボル期間の１副搬送波である。明快さのために、以下の説明の多くはＣＤＭＡ制御セグメントがＲＬフレーム１を除き１つ以上のサブバンドを占有し、ＣＤＭＡフレーム全体にわっている実施例に対するものである一実施例において、Ｋ＝５１２、Ｐ＝４、およびＴ＝８である。この実施例において、ＣＤＭＡ制御セグメントは（１）ＣＤＭＡフレームの８シンボル期間内の１２８の整数倍の副搬送波をカバーし、（２）１０２４の整数倍の伝送ユニット、例えば１０２４，２０４８，３０７２または４０９６個の伝送ユニットを含む。
【００３２】
図３Ａに、ＣＤＭＡ制御セグメントに対する周波数ホッピングを示す。ＣＤＭＡ制御セグメントは図３Ａに示すように、異なるＣＤＭＡフレームの周波数にわたってホッピングするかもしれない。周波数ホッピングは、擬似ランダム的または決定論的であるかもしれない。
【００３３】
図３Ａにトラヒックチャネルのための代表的な周波数ホッピング方式をさらに示す。トラヒックチャネルはデータを送信機から受信機へ送るための手段であり、またチャネル、物理的チャネル、物理層チャネル、データチャネルなどとも呼ばれるかもしれない。図３Ａに示すように、各トラヒックチャネルは周波数ダイバーシチを達成するために、異なるフレームの周波数にわたってホップする時間-周波数ブロックの特定のシーケンスにマッピングされるかもしれない。一実施例において、１つの時間-周波数ブロックは１フレーム内の１セットの副搬送波に対応する。周波数ホッピング（ＦＨ）パターンは各フレームの各トラヒックチャネルに用いるための特定の時間-周波数ブロックを表す。図３Ａに１つのトラヒックチャネルｙに対する時間-周波数ブロックのシーケンスを示す。他のトラヒックチャネルはトラヒックチャネルｙの時間-周波数ブロックシーケンスの垂直的および循環的にシフトされたバージョンへマッピングされるかもしれない。
【００３４】
一実施例において、トラヒックチャネルに対する周波数ホッピングはＣＤＭＡ制御セグメントを避ける。別の実施例において、トラヒックチャネルに対する周波数ホッピングはＣＤＭＡ制御セグメントに関して擬似ランダムである。この実施例においては、各ＣＤＭＡフレームのＣＤＭＡ制御セグメントのために多く（例えば、８個）の副搬送波セットが割り当てられるかもしれない。ＣＤＭＡ制御セグメントと衝突する各トラヒックチャネルは、ＣＤＭＡ制御セグメントへ割り当てられた副搬送波セットへマッピングされる。この実施例においては、衝突が起こる時はいつも、トラヒックチャネルとＣＤＭＡ制御セグメントは副搬送波を交換する。
【００３５】
図３Ｃに４搬送波におけるＣＤＭＡ制御セグメントを周波数ホッピングする一実施例を示す。この実施例において、ＣＤＭＡ制御セグメントの１つのインスタンスが各搬送波に提供される。一実施例において、各搬送波に対するＣＤＭＡ制御セグメントのインスタンスはその搬送波に対する逆方向リンク信号を搬送し、他の搬送波に対するＣＤＭＡ制御セグメントのインスタンスとは独立している。４搬送波に対するＣＤＭＡ制御セグメントのインスタンスは（１）同じまたは異なるサイズを有するかもしれない、（２）一緒にまたは互いに独立してホップするかもしれない、および（３）１インタレースで、例えば６番目のフレーム毎に送られるかもしれない。
【００３６】
図３Ａおよび３ＢにＣＤＭＡ制御セグメントのいくつかの実施例を示す。別の実施例において、ＣＤＭＡ制御セグメントは複数のインタレースで送られるかもしれない。さらに別の実施例において、ＣＤＭＡ制御セグメントはＣＤＭＡ制御セグメントが送られるかもしれない各フレームにおいて選択的に動作可能にされるか、または動作不可にされるかもしれない。
【００３７】
システム１００は、順方向および逆方向リンク上のデータ送信をサポートするために種々の信号チャネルを利用するかもしれない。通常、信号チャネルは物理層のためのわずかの信号を搬送する。各リンクに用いる特定の信号チャネルは、種々の要因、例えば、トラヒックデータが送信される方法、信号が送信される方法、トラヒックチャネルおよび信号チャネルの設計などのような要因に依存する。
【００３８】
表１は逆方向リンクの代表的信号チャネルおよび各信号チャネルに対する簡単な説明のリストである。以下に説明する一実施例において、肯定応答（ＡＣＫ）チャネルを除く表１に示すすべての信号チャネルはＣＤＭＡ制御セグメントで送られる。ＣＤＭＡ制御セグメントで送られる信号チャネルはＣＤＭＡ信号チャネルと呼ばれる。ＡＣＫチャネルは、ＡＣＫチャネルのための良好な性能を得るために時間および／または周波数分割多重化を用いて送られるかもしれない。一般に、いかなる信号チャネルもＣＤＭＡ制御セグメントで送られるかもしれない。
【表１】
0005485305.tif 000002
【００３９】
順方向リンク上のデータ送信のために表１のいくつかの信号チャネルの使用を以下に説明する。
【００４０】
図４に順方向リンク上のハイブリッド自動再送要求（Ｈ-ＡＲＱ）伝送を示す。これは、インクレメンタル冗長（ＩＲ）伝送と呼ばれる。初めに、端末はシステムにアクセスするためにアクセスチャネルでアクセスプローブ（ＡＰ）を送る。その後、基地局が端末に送るデータを有する場合、基地局は端末における受信信号品質および／または端末向けのデータ伝送に用いられるかもしれない他の情報を要求するかもしれない。端末は、順方向リンクの受信信号品質を推定し、ＣＱＩ値をＣＱＩチャネルで基地局へ送る。受信信号品質が信号対干渉雑音比（ＳＩＮＲ）および／または他の信号品質測定基準で定量化されるかもしれない。端末はフィードバックチャネルで他の形式のフィードバック（例えば、ビーム成形および／またはサブバンドスケジューリング用）を送るかもしれない。
【００４１】
基地局は端末からＣＱＩ値を受信し、端末へのデータ伝送に用いるパケットフォーマット（例えば、データレート、パケットサイズなど）を選択する。次に、基地局は選択されたパケットフォーマットに従ってデータパケット（パケット１）を処理（例えば、符号化、および変調）し、パケットに対して複数（Ｖ）のデータブロックを生成する。ただしＶ＞１である。データパケットは符号語などとも呼ばれるかもしれない。また、データブロックはサブパケットなどと呼ばれるかもしれない。各データブロックは、端末が好ましいチャネル状態下でパケットを正しく復号することができるように十分な情報を含むかもしれない。通常は、Ｖ個のデータブロックはパケットに対して異なる冗長情報を含む。Ｖ個のデータブロックはパケットが終了するまで一度に１ブロック送られるかもしれない。データブロックは１インタレースで、各フレーム内に１データブロック送られるかもしれない。またブロック伝送はＱフレームだけ間隔を開けられるだろう。
【００４２】
基地局はフレームｍにおいてパケット１の最初のデータブロック（ブロック１）を送信する。端末はブロック１を受信および処理（例えば、復調、および復号）し、パケット１が誤差を含んで復号されたことを決定し、否定応答（ＮＡＫ）をＡＣＫチャネルでフレームｍ＋ｑ内で基地局へ送る。ここでｑはＡＣＫ／ＮＡＫ遅延であり、１≦ｑ＜Ｑである。基地局はＮＡＫを受信し、フレームｍ＋Ｑ内でパケット１の２番目のデータブロック（ブロック２）を送信する。端末はブロック２を受信し、ブロック１および２を処理し、パケット１が正しく復号されたことを決定し、ＡＣＫをフレームｍ＋Ｑ＋ｑ内で送り返す。基地局はＡＣＫを受信しパケット１の送信を終了する。基地局は次のデータパケット（パケット２）を処理し、同じような方法でパケット２のデータブロックを送信する。
【００４３】
明快さのために、図４にＮＡＫおよびＡＣＫ双方の送信を示す。ＡＣＫベースの方式において、ＡＣＫはパケットが正しく復号された場合に送られる。ＮＡＫは送られずＡＣＫがないことにより推定される。
【００４４】
図４において、新しいデータブロックは与えられたインタレースでＱフレーム毎に送られる。チャネル利用を向上するために、基地局はＱインタレースでＱパケットまで送信するかもしれない。Ｈ-ＡＲＱ再送信遅延ＱおよびＡＣＫ／ＮＡＫ遅延ｑは送信および受信双方のための十分な処理時間を与えるように通常は選択される。
【００４５】
図４に示すように、端末はＣＱＩおよび他のフィードバックを信号チャネルで定期的に送るかもしれない。また、端末は基地局へ逆方向リンクでデータを送信するための資源の要求（ＲＥＱ）を送るかもしれない。
【００４６】
図５に図１の基地局１１０および端末１２０の一実施例のブロック図を示す。この実施例において、基地局１１０および端末１２０はそれぞれ複数のアンテナを備えている。
【００４７】
基地局１１０において、送信（ＴＸ）のデータと信号用のプロセッサ５１０は、１つ以上の端末へのトラヒックデータを入力し、各端末へのそのトラヒックデータを、その端末用に選択された１つ以上のパケットフォーマットに従って処理（例えば、フォーマット、符号化、インタリーブ、およびシンボルマッピング）し、次いでデータシンボルを出力する。また、プロセッサ５１０はパイロットシンボルおよび信号シンボルを生成する。ここに用いられるように、データシンボルはトラヒックデータ用のシンボルであり、パイロットシンボルはパイロット用のシンボルであって、基地局および端末双方で予め分かっているデータであり、信号シンボルは信号用のシンボルであり、またシンボルは通常は複素値である。ＴＸ空間プロセッサ５１２は、データシンボル、パイロットシンボル、および／または信号シンボルに送信機空間処理（例えばアダプティブビーム成形）を実行し、Ｎｂｓ個の送信シンボルストリームをＮｂｓ個の変調器（ＭＯＤ）５１４ａ乃至５１４ｂｓへ出力する。各変調器５１４はその送信シンボルストリームにＯＦＤＭ変調を実行し、ＯＦＤＭシンボルストリームを出力する。システム１００がＳＣ-ＦＤＭＡを利用する場合、各変調器５１４は、ＳＣ-ＦＤＭＡ変調を実行し、ＳＣ-ＦＤＭＡシンボルストリームを出力する。各変調器５１４は、そのＯＦＤＭシンボルストリームをさらに調整（例えば、アナログへの変換、フィルタリング、増幅、およびアップコンバージョン）し、ＦＬ用変調信号を生成する。変調器５１４ａ乃至５１４ｂｓはＮｂｓ個のＦＬ変調信号を出力する。この信号はそれぞれＮｂｓ個のアンテナ５１６ａ乃至５１６ｂｓから送信される。
【００４８】
端末１２０において、Ｎａｔ個のアンテナ５５２ａ乃至５５２ａｔは基地局１１０およびおそらくは他の基地局からのＦＬの変調信号を受信し、Ｎａｔ個の受信信号をＮａｔ個の復調器（ＤＥＭＯＤ）５５４ａ乃至５５４ａｔのそれぞれに出力する。各復調器５５４はその受信信号を処理（例えば、調整およびディジタル化）し、入力サンプルを得る。各復調器５５４は入力サンプルにＯＦＤＭ復調をさらに実行し、すべての副搬送波に対して周波数ドメインの受信シンボルを出力する。受信（ＲＸ）空間プロセッサ５５６は、Ｒ個の復調器５５４ａ乃至５５４ａｔすべてからの受信シンボルに受信機空間処理を実行し、データシンボル推定値を出力する。この推定値は基地局１１０によって端末１２０へ送られたデータシンボルの推定値である。ＲＸデータプロセッサ５５８は、データシンボル推定値を処理（例えばシンボルデマッピング、デインタリーブ、および復号）し、端末１２０に復号データを出力する。
【００４９】
制御器／プロセッサ５７０は、ＲＸデータプロセッサ５５８からの復号結果並びにＲＸ空間プロセッサ５５６からの受信信号品質およびＦＬチャネル応答の測定値を入力する。制御器／プロセッサ５７０は端末１２０に対する種々のタイプの信号を生成する。ＴＸのデータおよび信号用のプロセッサ５６０は、制御器／プロセッサ５７０からの信号に対する信号シンボル、基地局１１０へ送られるべきトラヒックデータに対するデータシンボルおよびパイロットシンボルを生成する。ＴＸ空間プロセッサ５６２は、データシンボル、パイロットシンボル、および／または、信号シンボルに送信機空間処理を実行し、送信シンボルを出力する。送信シンボルは変調器５５４ａ乃至５５４ａｔによりさらに処理され、アンテナ５５２ａ乃至５５２ａｔを介して送信される。
【００５０】
基地局１１０において、端末１２０および他の端末からのＲＬの変調信号がアンテナ５１６ａ乃至５１５６ｂｓで受信され、復調器５１４ａ乃至５１４ｂｓで調整、ディジタル化さらにＯＦＤＭ復調され、ＲＸ空間プロセッサ５１８で空間処理され、並びに端末１２０および他の端末によって送られたトラヒックデータおよび信号を復元するためにＲＸのデータおよび信号プロセッサ５２０でさらに処理される。制御器／プロセッサ５３０は信号を受信し、端末への順方向リンクでのデータ送信を制御する。
【００５１】
制御器／プロセッサ５３０および５７０はそれぞれ基地局１１０および端末１２０の種々の処理ユニットの動作を指示する。メモリー５３２および５７２はそれぞれ基地局１１０および端末１２０用のプログラムコードおよびデータを格納する。
【００５２】
図６に図５の端末１２０におけるＴＸのデータおよび信号用のプロセッサ５６０の一実施例のブロック図を示す。この実施例において、プロセッサ５６０はＴＸデータプロセッサ６１０、ＴＸ信号プロセッサ６２０、およびマルチプレクサ（ＭＵＸ）６６０を含む。
【００５３】
ＴＸデータプロセッサ６１０内において、ユニット６１２はトラヒックデータを符号化し、インタリーブし、およびシンボルマッピングし、データシンボルを出力する。シンボル-副搬送波マッパ６１４はデータシンボルを端末１２０に割り当てられたトラヒックチャネル用の時間-周波数ブロックにマッピングする。
【００５４】
図６にＡＣＫチャネルを除くすべての信号チャネルがＣＤＭＡ制御セグメントで送られる実施例を示す。この実施例において、ＴＸ信号プロセッサ６２０は各ＣＤＭＡ信号チャネルのためのチャネルプロセッサ６３０を含む。チャネルプロセッサ６３０ａ内において、符号器６３２はＣＱＩ値を符号化し、符号化したメッセージＷＣＱＩＣＨを出力する。チャネライザ６３４は符号化されたメッセージにチャネル化シーケンスを乗算する。乗算器６３６はチャネライザ６３４の出力と利得ＧＣＱＩＣＨを乗算しＣＱＩチャネルのための出力シーケンスＸＣＱＩＣＨを出力する。チャネルプロセッサ６３０ｂは要求メッセージを符号化し、得られた符号化メッセージとチャネル化シーケンスＳＲＥＱＣＨを乗算し、チャネル化されたシーケンスを利得ＧＲＥＱＣＨで縮尺し、および要求チャネルのための出力シーケンスＸＲＥＱＣＨを出力する。チャネルプロセッサ６３０ｃはビーム成形フィードバックを符号化し、得られた符号化メッセージとチャネル化シーケンスＳＢＦＣＨを乗算し、チャネル化されたシーケンスを利得ＧＢＦＣＨで縮尺し、およびビーム成形フィードバックチャネルのための出力シーケンスＸＢＦＣＨを出力する。チャネルプロセッサ６３０ｄはサブバンドフィードバックを符号化し、得られた符号化メッセージとチャネル化シーケンスＳＳＦＣＨを乗算し、チャネル化されたシーケンスを利得ＧＳＦＣＨで縮尺し、およびそのサブバンドフィードバックチャネルのための出力シーケンスＸＳＦＣＨを出力する。チャネルプロセッサ６３０ｅはパイロットデータを符号化し、得られた符号化メッセージとチャネル化シーケンスＳＰＩＣＨを乗算し、チャネル化されたシーケンスを利得ＧＰＩＣＨで縮尺し、およびパイロットチャネルのための出力シーケンスＸＰＩＣＨを出力する。チャネルプロセッサ６３０ｆはアクセスプローブを符号化し、得られた符号化メッセージとチャネル化シーケンスＳＡＣＨを乗算し、チャネル化されたシーケンスを利得ＧＡＣＨで縮尺し、およびアクセスチャネルのための出力シーケンスＸＡＣＨを出力する。
【００５５】
各信号チャネルのための送信電力は、その信号チャネルのための適切な利得を選択することにより制御されるかもしれない。送信電力は性能の目標レベル、例えば、５０％以下の消失率および１％の誤り率を達成するように選択されるかもしれない。
【００５６】
結合器６４０はチャネルプロセッサ６３０ａ乃至６３０ｅからの出力シーケンスを結合し、複合シーケンスＸＳＭを出力する。スクランブラ６４２ａは複合シーケンスＸＳＭをスクランブル用シーケンスＹＳＭでスクランブルし、第１のスクランブルされたシーケンスを出力する。スクランブラ６４２ｂはアクセスチャネルのための出力シーケンスＸＡＣＨをスクランブル用シーケンスＹＳＳでスクランブルし、第２のスクランブルされたシーケンスＺＳＳを出力する。結合器６５０は第１および第２のスクランブルされたシーケンスを結合し時間ドメイン出力シーケンスＺＯＵＴを出力する。結合器６５０は出力シーケンスＺＯＵＴを、ＣＤＭＡ制御セグメントのＴ個のシンボル期間のために、Ｔ個の出力サブシーケンスＺ１乃至ＺＴへ分割する。各出力サブシーケンスはＦ個までの時間ドメインサンプル含む。
【００５７】
図６に示す一実施例において、信号は時間ドメインで送られる。この実施例において、ユニット６５２はＤＦＴまたはＦＦＴを用いて各出力サブシーケンスを周波数ドメインへ変換し、ＣＤＭＡ制御セグメントのＦ個の副搬送波のための、Ｆ個の信号シンボルを出力する。図６には示さないが、別の実施例において、信号は周波数ドメインで送られる。この実施例においては、結合器６５０は信号シンボルを出力し、ＤＦＴ／ＦＦＴユニット６５２は省略される。両実施例において、シンボル-副搬送波マッパ６５４は、各出力サブシーケンスのためのＦ個の信号シンボルをＣＤＭＡ制御セグメント用に１シンボル期間内にＦ個の副搬送波へマッピングする。
【００５８】
ＴＸ  ＡＣＫチャネルプロセッサ６５６は、ＡＣＫメッセージを処理し、ＡＣＫメッセージのための信号シンボルを生成し、これらの信号シンボルをＡＣＫチャネルに割当てられた時間および周波数セグメントにマッピングする。マルチプレクサ６６０は、ＴＸデータプロセッサ６１０からのデータシンボルおよびＴＸ信号プロセッサ６２０からの信号シンボルを入力し、多重化し、多重化したデータおよび信号シンボルを出力する。
【００５９】
一実施例において、端末は１つ以上の同期サブセット内の１つ以上のセクタと交信するかもしれない。各同期サブセットは互いに同期している１つ以上のセクタを含む。異なる同期サブセットのセクタは互いに同期していないかもしれない。一実施例において、端末は、各同期サブセットとの交信のための、異なる識別子またはＭＡＣＩＤを割り当てられるかもしれない。同期サブセットは、本願と同一譲受人に同一日に譲渡された米国特許出願番号［事件番号０５０６５０］で説明され、ここに参照として組み込まれる。
【００６０】
一実施例において、端末はＣＱＩＣＨ、ＲＥＱＣＨ、ＢＦＣＨ、ＳＦＣＨ、およびＰＩＣＨを、ＦＬでサービスしているセクタを含む同期サブセットであるサービス中の同期サブセット内の目標基地局へ送るかもしれない。目標基地局は信号が送られる基地局である。ＦＬでサービスしているセクタは現在データを端末に送信している基地局である。一実施例において、端末はＣＱＩＣＨを、ＦＬでサービスしているセクタを含まない同期サブセットである非サービス中の同期サブセット内の目標基地局へ送るかもしれない。端末はＣＱＩＣＨをサービス中の同期サブセットおよび／または１つ以上の非サービス中の同期サブセットへ送るかもしれない。
【００６１】
ＣＤＭＡ制御セグメントのための信号は種々の方法で処理されるかもしれない。特定の実施例を以下に説明する。この実施例において、信号チャネルｃで送られるべきＢ-ビットの信号メッセージＭｃは以下のように処理されるかもしれない。ここで、ｃ∈｛ＣＱＩＣＨ、ＲＥＱＣＨ、ＢＦＣＨ、ＳＦＣＨ、ＰＩＣＨ、およびＡＣＨ｝である。最初に、メッセージＭｃはこのメッセージをＬ-ビット符号化されたメッセージＷｃへマッピングすることにより符号化される。ただしＬ＝２Ｂである。
【００６２】
一実施例において、符号化されたメッセージＷｃは長さのＬのウォルシュシーケンスである。２×２のアダマール行列（Ｗ２×２）およびより大きいサイズの（Ｗ２ｋ×２ｋ）は次式で表されるかもしれない。
【数１】
0005485305.tif 000003
【００６３】
２のべき乗の正方アダマール行列（例えば、２×２、４×４、８×８など）は（１）式で示されるように形成されるかもしれない。長さＬのＬ個の異なるウォルシュシーケンスは、Ｌ×Ｌのアダマール行列（ＷＬ×Ｌ）の第Ｌ列で形成されるかもしれない。信号メッセージＭｃは、０≦ｉ≦（Ｌ−１）として、ｉのＢ-ビットバイナリー値を有する。アダマール行列（ＷＬ×Ｌ）の第ｉ＋１列は、符号化されたメッセージＷｃとして提供される。一実施例において、信号メッセージＭｃは長さ１０ビットであり、符号化されたメッセージＷｃは次式で与えられるかもしれない１０２４ビットのウォルシュシーケンスである。
【数２】
0005485305.tif 000004
【００６４】
ここで、ｋ＝１，・・・，１０２４に関して、各ウォルシュビットｗkiは値＋１または−１を取ることができる。すなわち、ｗki∈｛＋１，−１｝である。一実施例において、ＰＩＣＨ用に符号化されたメッセージＷＰＩＣＨは全１のシーケンスである。これはＷＬ×Ｌの第１列からのウォルシュ符号０に対応している。信号メッセージは上述したウォルシュ符号マッピング以外の他の方法でも符号化されるかもしれない。
【００６５】
符号化されたメッセージＷｃは信号チャネルｃのためのチャネル化シーケンスＳｃでチャネル化される。一実施例において、チャネル化シーケンスＳｃは以下のように生成される。２０ビットのシフトレジスタは次の生成多項式に基づいて擬似ランダムバイナリーシーケンスＦｃを生成する。
【００６６】
ｈ（Ｄ）＝Ｄ２０＋Ｄ１７＋Ｄ１２＋Ｄ１０＋１          式（３）
ここで、Ｄは１ビットの遅延を表す。２０ビットのシフトレジスタの初期状態は、次式で生成されるかもしれない２０ビットの値Ｆｃ，ｉｎｉｔに設定される。
【００６７】
Ｆｃ，ｉｎｉｔ＝［ビット反転（Ａｃ・Ｐｒ）］ｍｏｄ  ２２０          式（４）
ここで、Ｐｒは大きな値の素数、例えばＰｒ＝2,654,435,761、
Ａｃは、信号チャネルｃのためのシード値である。
【００６８】
同じ大きい値の素数がすべての信号チャネルに用いられるかもしれない。
【００６９】
一実施例において、信号チャネルｃのためのシード値は以下のように与えられる：  
Ａｃ＝［ｓ３  ｓ２  ｓ１  ｍ５  ｍ４  ｍ３  ｍ２  ｍ１  ｐ１２  ｐ１１  ｐ１０  ｐ９  ｐ８  ｐ７  ｐ６  ｐ５  ｐ４  ｐ３  ｐ２  ｐ１］            式（５）
ここで、［ｃ３  ｃ２  ｃ１］は信号チャネルｃの３ビットインデックス、
［ｍ５  ｍ４  ｍ３  ｍ２  ｍ１］は信号が送られるフレームの５ビットインデックス、
［ｐ１２  ｐ１１  ｐ１０  ｐ９  ｐ８  ｐ７  ｐ６  ｐ５  ｐ４  ｐ３  ｐ２  ｐ１］は目標基地局の１２ビット識別子である。
【００７０】
複数の信号チャネルはこれらの信号チャネルのための異なるシード値、従って異なるチャネル化シーケンス、を生成するために用いられるかもしれない異なるインデックスを割り当てられるかもしれない。一実施例において、ＣＱＩＣＨは［０００］（２進）のインデックスを割り当てられ、ＢＦＣＨは［００１］のインデックスを割り当てられ、ＳＦＣＨは［０１０］のインデックスを割り当てられ、ＡＣＨは［１００］のインデックスを割り当てられ、ＲＥＱＣＨは［１０１］のインデックスを割り当てられ、ＰＩＣＨは［１１０］のインデックスを割り当てられる。目標基地局は、サービス中の同期サブセット内のＦＬでサービスしているセクタ、非サービス中の同期サブセット内の指定されたセクタ等であるかもしれない。
【００７１】
シフトレジスタからの長さＬ／２のバイナリーシーケンスＦｃは以下のように与えられるかもしれない。
【数３】
0005485305.tif 000005
【００７２】
バイナリーシーケンスＦｃは、以下のように長さのＬ・Ｒのチャネル化シーケンスＳｃを形成するために２Ｒ回繰り返される。
【数４】
0005485305.tif 000006
【００７３】
ここで、Ｒは以下に説明するように選択される繰返し係数である。
【００７４】
式（５）に示すように、各信号チャネルに対するシード値Ａｃ、従ってチャネル化シーケンスＳｃは（１）目標基地局が異なるＣＤＭＡ信号チャネルを識別することができるようにする、その信号チャネルに対するインデックス、（２）信号が送られるフレーム、および（３）各基地局がその基地局に送られる信号を受信できるようにする目標基地局の識別子に依存する。
【００７５】
符号化されたメッセージＷｃをチャネル化するために、このメッセージはＬ・Ｒビットを含む反復シーケンスを形成するためにまずＲ回繰り返される。繰返し係数Ｒは、繰り返しの後のビット総数がＣＤＭＡ制御セグメント内の伝送ユニットの総数以下、すなわちＬ・Ｒ≦Ｕ、となるように選択される。簡単さのために、以下の説明ではＬ・Ｒ＝Ｕと仮定する。反復シーケンスとチャネル化シーケンスＳｃは乗算され、以下に示すように信号チャネルｃのための出力シーケンスＸｃを得る。
【数５】
0005485305.tif 000007
【００７６】
式（８）に示すように、反復シーケンスの各ビットは、（１）チャネル化シーケンスＳｃ内の対応するビットが１に等しい場合には反転され、または（２）その他の場合は反転されないかのいずれかである。信号チャネルｃのための出力シーケンスＸｃは図６に示すようにその信号チャネルに割り当てられた電力に基づいてスケーリングされるかもしれない。複数のＣＤＭＡ信号チャネルは同じまたは異なる電力量を割り当てられるかもしれない。簡単さのために、電力スケーリングは式（８）において省略されている。
【００７７】
一実施例において、ＡＣＨのための出力シーケンスＸＡＣＨの最後のＲ・Ｆビットはゼロに設定され、出力シーケンスＸＡＣＨの長さは実効的に（Ｌ−Ｆ）・Ｒに短縮される。別の実施例において、符号化されたメッセージＷＡＣＨまたはＡＣＨのための反復メッセージはＬ・Ｒビットより短くなるように形成される。より短い反復シーケンスはより短い出力シーケンスＸＡＣＨを得るためにより短いチャネル化シーケンスと乗算される。いずれにしても、より短い出力シーケンスＸＡＣＨはより短い期間内に送られるかもしれない。これは、システムにアクセスプローブを送るとき、端末において不正確なタイミングを償うためのガードタイムを提供する。
【００７８】
一実施例において、ＣＤＭＡ信号チャネルは、各ＣＤＭＡフレームに関して個別に動作可能および動作不可にされるかもしれない。与えられたＣＤＭＡ信号チャネルは、その信号チャネルに対する出力シーケンスＸｃを全ゼロのシーケンスに設定することにより動作不可にされるかもしれない。
【００７９】
一実施例において、サービス中の同期サブセットに対する複合シーケンスＸsSMを得るために、ＣＱＩＣＨ、ＲＥＱＣＨ、ＢＦＣＨ、ＳＦＣＨ、およびＰＩＣＨは結合器６４０によって結合されるかもしれない。一実施例において、ＣＱＩＣＨのための出力シーケンスは非サービス中の同期サブセットに対する複合シーケンスＸnsSMとして提供されるかもしれない。一実施例において、複合シーケンスＸsSMおよびＸnsSMは次式で与えられるかもしれない。
【数６】
0005485305.tif 000008
【数７】
0005485305.tif 000009
【００８０】
複合シーケンスＸsSMおよびＸnsSMそれぞれはＵ個の複素値を含む。式（９ａ）に示す実施例において、ＣＱＩＣＨ、ＳＦＣＨ、およびＰＩＣＨは、ＸsSMの同相（Ｉ）成分で、ＲＥＱＣＨおよびＢＦＣＨは直交（Ｑ）成分で送られる。ＣＱＩＣＨ、ＲＥＱＣＨ、ＢＦＣＨ、ＳＦＣＨ、およびＰＩＣＨのための出力シーケンスはサービス中の同期サブセットに対して他の方法で結合されるかもしれない。以下の説明において、複合シーケンスＸＳＭはサービス中の同期サブセットのためのＸsSMに、または非利用中の同期サブセットのためのＸnsSMに等しいかもしれない。
【００８１】
一実施例において、複合シーケンスＸＳＭは目標基地局および端末双方特有のスクランブル用シーケンスＹＳＭによってスクランブルされる。このようにスクランブル用シーケンスＹＳＭは異なる同期サブセットに対して異なる。スクランブル用シーケンスＹＳＭは以下のように生成されるかもしれない。２８ビットのシフトレジスタは次の生成多項式に基づいて、擬似ランダムバイナリーシーケンスＦＳＭを生成する：  
ｈ（Ｄ）＝Ｄ２８＋Ｄ２５＋１                  式（１０）
２８ビットのシフトレジスタの初期状態は、以下のように生成されるかもしれない２８ビット値のＦＳＭ，ｉｎｉｔに設定される：
ＦＳＭ，ｉｎｉｔ＝［ビット反転（ＡＳＭ・Ｐｃ）］ｍｏｄ  ２２８      式（１１）
ここで、ＡＳＭ＝［ｍ５  ｍ４  ｍ３  ｍ２  ｍ１  ｔ１１  ｔ１０  ｔ９  ｔ８  ｔ７  ｔ６  ｔ５  ｔ４  ｔ３  ｔ２  ｔ１  ｐ１２  ｐ１１  ｐ１０  ｐ９  ｐ８  ｐ７  ｐ６  ｐ５  ｐ４  ｐ３  ｐ２  ｐ１］であり、［ｔ１１  ｔ１０  ｔ９  ｔ８  ｔ７  ｔ６  ｔ５  ｔ４  ｔ３  ｔ２  ｔ１］は端末の１１ビットの識別子またはＭＡＣＩＤであって、異なる同期サブセットに対して異なるかもしれない。
【００８２】
次にスクランブル用シーケンスＹＳＭは以下のように生成されるかもしれない：
【数８】
0005485305.tif 000010
【数９】
0005485305.tif 000011
【００８３】
ｙ1SS＝１で  ｋ＝１，・・・，（Ｕ−１）について、
ここで、ｆkSM∈｛０，１｝はバイナリーシーケンスＦＳＭのｋ番目のビット、ｙkSM∈｛−１，＋１｝はスクランブル用シーケンスＹＳＭのｋ番目のビットである。スクランブル用シーケンスＹＳＭは、擬似ランダムバイナリーシーケンスＦＳＭに基づいてビットからビットへ擬似ランダムな方法で＋９０度または−９０度回転する。
【００８４】
複合シーケンスＸＳＭはスクランブルされたシーケンスＺＳＭを以下のように生成するためにスクランブル用シーケンスＹＳＭでスクランブルされるかもしれない：
【数１０】
0005485305.tif 000012
【００８５】
ここで、ＸkSMは複合シーケンスＸＳＭのｋ番目のビットである。
【００８６】
一実施例において、ＡＣＨのための出力シーケンスＸＡＣＨは目標基地局に特有のスクランブル用シーケンスＹＳＳでスクランブルされる。セクタ特有のスクランブル用シーケンスＹＳＳをＡＣＨ用に用いる理由は、（１）システムにアクセスを試みる端末が有効なＭＡＣＩＤを有していないかもしれないこと、および（２）目標基地局はどの端末がその基地局にアクセスを試みているかを通常は知らないことである。スクランブル用シーケンスＹＳＳは以下のように生成されるかもしれない。長さＵの擬似ランダムバイナリーシーケンスＦＳＳは上述したようにシード値ＡＳＳ＝［１  １  １  ｍ５  ｍ４  ｍ３  ｍ２  ｍ１  ｐ１２  ｐ１１  ｐ１０  ｐ９  ｐ８  ｐ７  ｐ６  ｐ５  ｐ４  ｐ３  ｐ２  ｐ１］を用いて生成されるかもしれない。次にスクランブル用シーケンスＹＳＳは以下のように形成されるかもしれない：
【数１１】
0005485305.tif 000013
【数１２】
0005485305.tif 000014
【００８７】
ｙ1SS＝１で  ｋ＝１，・・・，（Ｕ−１）について、
ここで、ｆkSS∈｛０，１｝はバイナリーシーケンスＦＳＳのｋ番目のビット、ｙkSS∈｛−１，＋１｝はスクランブル用シーケンスＹＳＳのｋ番目のビットである。
【００８８】
出力シーケンスＸＡＣＨは次式のようなスクランブルされたシーケンスＺＳＳを生成するためにスクランブル用シーケンスＹＳＳでスクランブルされるかもしれない。
【数１３】
0005485305.tif 000015
【００８９】
ここで、ＸkACH∈｛−１，＋１｝は出力シーケンスＸＡＣＨのｋ番目のビットである。上で注意したように、出力シーケンスＸＡＣＨの終わりのいくつかのビットはゼロに設定されるかもしれない。
【００９０】
一実施例において、スクランブルされたシーケンスＺＳＭおよびＺＳＳは、以下のような出力シーケンスＺＯＵＴを生成するために、結合器６５０によって結合される：
【数１４】
0005485305.tif 000016
【００９１】
ここで、ｚkSMおよびｚkSSは、それぞれ出力シーケンスＺＳＭおよびＺＳＳのｋ番目のビットである。出力シーケンスＺＯＵＴはさらに処理され、ＣＤＭＡ制御セグメントで送られる。
【００９２】
上述した実施例において、ＣＤＭＡ信号チャネルのメッセージは、固定長のＢビットを有する。これによりメッセージを長さＬのウォルシュシーケンスにマッピングすることができる。ただしＬ＝２Ｂである。この実施例において、Ｂビットより多いビット数のメッセージは分割され、（１）複数のＣＤＭＡフレーム内の信号チャネルの１つのインスタンスで、または（２）１ＣＤＭＡフレーム内の信号チャネルの複数のインスタンスで送られるかもしれない。与えられた１つの信号チャネルの複数のインスタンスは、例えば信号チャネルで複数のウォルシュシーケンスを送ることによって得られるかもしれない。別の実施例において、複数のＣＤＭＡ信号チャネルのためのメッセージは異なる長さを有するかもしれない。
【００９３】
図７に図５の基地局１１０のＲＸのデータおよび信号用のプロセッサ５２０の一実施例のブロック図を示す。プロセッサ５２０はデマルチプレクサ（ＤＥＭＵＸ）７１０、ＲＸデータプロセッサ７２０、およびＲＸ信号プロセッサ７３０を含む。明快さのために、１つの端末（例えば、図５の端末の１２０）からのトラヒックデータおよび信号を復元するための処理を以下に説明する。
【００９４】
ＲＸデータプロセッサ７２０内において、シンボル-副搬送波デマッパ７２２は、端末１２０に割り当てられたトラヒックチャネルのための時間-周波数ブロックから受信シンボルを抽出する。ユニット７２４は抽出された受信シンボルをシンボルデマッピング、デインタリーブ、および復号し、さらに、端末１２０に復号されたデータを出力する。
【００９５】
ＲＸ信号プロセッサ７３０内において、シンボル-副搬送波デマッパ７３２は各ＣＤＭＡフレーム内のＣＤＭＡ制御セグメントに用いられる時間-周波数領域から受信シンボルを抽出する。ＣＤＭＡ制御セグメントが送られる各シンボルの期間において、ＩＤＦＴ／ＩＦＦＴユニット７３４は、そのシンボル期間の受信シンボルを時間ドメインに変換し、受信サンプルを出力する。デスクランブラ７３６ａは受信サンプルをスクランブル用シーケンスＹＳＭでデスクランブルし、デスクランブルされたサンプルＤＳＭを、ＣＱＩＣＨ、ＲＥＱＣＨ、ＢＦＣＨ、ＳＦＣＨ、およびＰＩＣＨのためのチャネルプロセッサ７４０ａ乃至７４０ｅへ出力する。ＣＱＩＣＨのためのチャネルプロセッサ７４０ａ内において、デチャネライザ７４２はデスクランブルされたサンプルＤＳＭとチャネル化シーケンスＳＣＱＩＣＨを乗算する。復号器７４４はチャネル化されたサンプルを復号し、ＣＱＩＣＨの復元されたメッセージを出力する。各チャネルプロセッサ７４０ｂ乃至７４０ｅは同様にデスクランブルされたサンプルＤＳＭと関連する信号チャネルのためのチャネル化シーケンスとを乗算し、チャネル化されたサンプルを復号し、その信号チャネルの復元したメッセージを出力する。パイロットチャネルプロセッサ７４０ｃはＣＤＭＡ制御セグメントに用いられる副搬送波のすべてをカバーする広帯域チャネル推定値を出力するかもしれない。広帯域チャネル推定値はデータ検出、スケジューリングなどに用いられるかもしれない。デスクランブラ７３６ｂは受信信号をスクランブル用シーケンスＹＳＳでデスクランブルし、ＡＣＨのデスクランブルされたサンプルＤＳＳを出力する。チャネルプロセッサ７４０ｆはデスクランブルされたサンプルＤＳＳとＡＣＨ用チャネル化シーケンスとを乗算し、チャネル化されたサンプルを復号し、ＡＣＨの復元されたメッセージを出力する。ＲＸ  ＡＣＫチャネルプロセッサ７５０は、ＡＣＫＣＨのための受信シンボルを処理し、検出されたＡＣＫメッセージを出力する。
【００９６】
パイロットチャネル（ＰＴＣＨ）は、ＲＬチャネル応答を推定するために基地局で用いられる全１のシーケンスを搬送する。ＲＬチャネル応答推定値は（１）逆方向リンクでの適応型サブバンドスケジューリングのために、および（２）ＦＬチャネル応答がＲＬチャネル応答の逆であると仮定されるかもしれないＴＤＤシステムにおいてＦＬチャネル応答推定値として、用いられるかもしれない。
【００９７】
アクセスチャネル（ＡＣＨ）はシステムアクセスのために端末によって送られるメッセージまたはアクセスプローブを搬送する。ＡＣＨのための利用可能なウォルシュシーケンスは複数のグループに分割される。各グループは特定のパラメータ、例えばバッファレベル、測定されたＦＬ信号強度など、と関連しているかもしれない。端末は、所望のパラメータに関連しているグループからウォルシュシーケンスをランダムに選択し、選択されたウォルシュシーケンスを基地局に送るかもしれない。端末は選択されたウォルシュシーケンスを介して所望のパラメータを基地局に伝達するかもしれない。
【００９８】
アクセスプローブのＣＤＭＡ制御セグメント境界との不整合に起因するセクタ内干渉を防ぐために、ＡＣＨは拡張されたガードバンドおよびガードタイムで送られるかもしれない。このタイミングの不整合はアクセス段階の端末には正確なＲＬタイミング情報を有していないかもしれないという事実から生じるかもしれない。
【００９９】
図８にＣＤＭＡ制御セグメント上の信号伝送を制御するための処理８００を示す。一実施例において、ＣＤＭＡ制御セグメントおよびＣＤＭＡ信号チャネルはシステム内の各セクタに対して設定可能である。処理８００はセクタに対する基地局によって、または基地局に対するネットワークエンティティによって実行されるかもしれない。以下の説明は１つのセクタに対するものである。
【０１００】
そのセクタ用のＣＤＭＡ制御セグメントの伝送パラメータが決定される（ブロック８１２）。これらの伝送パラメータはＣＤＭＡ制御セグメントのサイズ（例えば、ＣＤＭＡ制御セグメントのサブバンドまたは副搬送波の数）、ＣＤＭＡ制御セグメントに用いるフレームまたはインタレース、ＣＤＭＡ制御セグメントの周波数ホッピングなど、を表すかもしれない。また、セクタに対して動作可能にされたＣＤＭＡ信号チャネルも決定される（ブロック８１４）。どのＣＤＭＡ信号チャネルを動作可能にするかは、どのようにトラヒックデータが順方向および／もしくは逆方向リンクで送信されているか、並びに／または他の要因に依存するかもしれない。例えば、適応型サブバンドスケジューリングが順方向リンクに対して実行されない場合、ＳＦＣＨは動作不可とされるかもしれない。また、ビーム成形および空間多重化がＦＤＤシステムにおいて実行されない場合、ＢＦＣＨは動作不可にされるかもしれない。
【０１０１】
各動作可能にされたＣＤＭＡ信号チャネルの平均送信インタバルが選択される（ブロック８１６）。平均送信インタバルは与えられた信号チャネルの連続する送信と送信の間の平均時間である。固定送信間隔ではなく平均送信インタバルを使用することは、信号を送る時を決定する場合に端末に柔軟性を与え、さらに送信インタバル設定においてより精密な細分性を可能とする。
【０１０２】
各端末に対して動作可能にされたＣＤＭＡ信号チャネルは、セクタに対して動作可能にされたＣＤＭＡ信号チャネルの中から決定され、選択される（ブロック８１８）。複数の連絡モードを備えた各ＣＤＭＡ信号チャネルに用いる連絡モードは、例えば端末に用いられる伝送方式（例えばＳＩＳＯまたはＭＩＭＯ）、および／または他の要因に基づいて、各端末に対して決定される（同じくブロック８１８）。ＣＤＭＡ制御セグメントおよび動作可能にされたＣＤＭＡ信号チャネルのための種々のパラメータを表す制御情報が端末へ送られる（ブロック８２０）。例えば、すべての端末に適用可能な制御情報はＦＬスーパフレームのプリアンブル内で放送されるかもしれない。また、各端末に特有の制御情報はその端末に直接送られるかもしれない。
【０１０３】
図８に、ＣＤＭＡ制御セグメントの動作を制御するために特定の実施例を示す。別の実施例において、平均送信インタバルは各端末の動作可能にされた各ＣＤＭＡ信号チャネルに対して個別に選択される。さらに別の実施例において、動作可能にされた各ＣＤＭＡ信号チャネルに対する伝送速度は設定可能であり、平均速度の代わりに固定速度で与えられる。ＣＤＭＡ制御セグメントの動作は他の方法でも制御されるかもしれない。
【０１０４】
図９にＣＤＭＡ制御セグメントの信号伝送を制御するための装置９００を示す。装置９００はセクタに対するＣＤＭＡ制御セグメントのための伝送パラメータ（例えばサイズ、インタレースおよび周波数ホッピング）を決定するための手段（ブロック９１２）、そのセクタに対する動作可能にされたＣＤＭＡ信号チャネルを決定するための手段（ブロック９１４）、動作可能にされた各ＣＤＭＡ信号チャネルのための平均送信インタバルを選択するための手段（ブロック９１６）、各端末に対する動作可能にされたＣＤＭＡ信号チャネルを決定するための手段（ブロック９１８）、ＣＤＭＡ制御セグメントおよび動作可能にされたＣＤＭＡ信号チャネルのための種々のパラメータを示す制御情報を複数の端末へ送るための手段（ブロック９２０）を含む。
【０１０５】
図１０にＣＤＭＡ制御セグメントで信号を送るための端末で実行される処理１０００を示す。最初に、サービスしているセクタに対するＣＤＭＡ制御セグメントのための伝送パラメータ（例えばサイズ、インタレース、および周波数ホッピング）が決定される（ブロック１０１２）。端末に対する動作可能なＣＤＭＡ信号チャネルおよび動作可能なＣＤＭＡ信号チャネルの各々に対する平均送信インタバルが決定される。（ブロック１０１４）。
【０１０６】
各フレームにおいて、そのフレームでＣＤＭＡ制御セグメントが送られているかどうかの決定がなされる（ブロック１０１６）。答えが「はい」の場合、現在のフレームで送られるべきすべてのＣＤＭＡ信号チャネルが決定される。（ブロック１０１８）。この決定は、動作可能にされた各ＣＤＭＡ信号チャネルなどに関して送るべき信号の有無に関わらず、動作可能にされたＣＤＭＡ信号チャネルに対する平均送信インタバルに基づいてなされるかもしれない。現在のフレームで送られるべき各ＣＤＭＡ信号チャネルのための信号が処理（例えば、符号化、チャネル化、スケーリング、およびスクランブル）される（ブロック１０２０）。すべてのＣＤＭＡ信号チャネルのための処理された信号は結合され（ブロック１０２２）、結合された信号は現在のフレーム内のＣＤＭＡ制御セグメントに用いられる時間-周波数領域へマッピングされる（ブロック１０２４）。
【０１０７】
図１１にＣＤＭＡ制御セグメントで信号を送るための装置１１００を示す。装置１１００は、サービス中のセクタに対するＣＤＭＡ制御セグメントのための送信パラメータ（例えば、サイズ、インタレース、および周波数ホッピング）を決定するための手段（ブロック１１１２）、並びに端末に対する動作可能にされた複数のＣＤＭＡ信号チャネルおよび動作可能にされた各ＣＤＭＡ信号チャネルのための平均送信インタバルを決定するための手段（ブロック１１１４）を含む。
【０１０８】
装置１１００は、ＣＤＭＡ制御セグメントが送られる各フレームを処理するための手段をさらに含む。この手段は、現在のフレームで送られるべきＣＤＭＡ信号チャネルを決定するための手段（ブロック１１１８）、現在のフレームで送られるべき各ＣＤＭＡ信号チャネルに対する信号を処理（例えば、符号化、チャネル化、スケーリング、およびスクランブリング）するための手段（ブロック１１２０）、すべてのＣＤＭＡ信号チャネルのための処理された信号を結合するための手段（ブロック１１２２）、および結合された信号を現在のフレーム内のＣＤＭＡ制御セグメントに用いられる時間-周波数領域へマッピングするための手段（ブロック１１２４）を含む。
【０１０９】
図１２にＣＤＭＡ制御セグメントで送られた信号を受信するための基地局で実行される処理１２００を示す。各フレームにおいて、ＣＤＭＡ制御セグメントがそのフレームで送られているかの決定がなされる（ブロック１２１２）。答えが「はい」の場合、受信シンボルは、現在のフレーム内のＣＤＭＡ制御セグメントに用いられる時間-周波数領域から抽出される（ブロック１２１４）。
【０１１０】
セクタ特有およびユーザ特有のスクランブル用シーケンスＹＳＭを用いて信号を送るかもしれない端末である動作中の各端末において、動作中端末によって現在のフレームで送られるかもしれないすべてのＣＤＭＡ信号チャネルが決定される（ブロック１２１６）。受信シンボルは、各動作中端末によって送られるかもしれない各ＣＤＭＡ信号チャネルに関して、そのＣＤＭＡ信号チャネルから、もしあれば、信号を復元するために処理（例えば、デスクランブル、デチャネル化、および復号）される（ブロック１２１８）。受信シンボルは、アクセスチャネルに関して、システムにアクセスを試みる端末によって送られる任意のアクセスプローブを復元するために処理（例えば、デスクランブル、デチャネル化、および復号）される（ブロック１２２０）。
【０１１１】
図１３にＣＤＭＡ制御セグメントで送られる信号を受信するための装置１３００を示す。装置１３００は、ＣＤＭＡ制御セグメントが送られる各フレームを処理するための手段を含む。この手段は、現在のフレーム内のＣＤＭＡ制御セグメントに用いられる時間-周波数領域から受信シンボルを抽出ための手段（ブロック１３１４）、各動作中端末により現在のフレーム内で送られるかもしれないＣＤＭＡ信号チャネルを決定するための手段（ブロック１３１６）、各動作中端末によって送られるかもしれない各ＣＤＭＡ信号チャネルに関して、そのＣＤＭＡ信号チャネルから、もしあれば、信号を復元するために、受信シンボルを処理（例えば、デスクランブル、デチャネル化、および復号）するための手段（ブロック１３１８）、およびアクセスチャネルに関して、システムにアクセスを試みる端末によって送られる任意のアクセスプローブを復元するために受信シンボルを処理（例えば、デスクランブル、デチャネル化、および復号）するための手段（ブロック１３２０）を含む。
【０１１２】
ここに説明した信号伝送技術は種々の手段で実施されるかもしれない。例えば、これらの技術はハードウェア、ファームウェア、ソフトウェア、またはそれらの組合せで実施されるかもしれない。ハードウェアの実施において、端末の処理ユニットは１つ以上の特定用途向ＩＣ（ＡＳＩＣ）、ディジタル信号プロセッサ（ＤＳＰ）、ディジタル信号処理デバイス（ＤＳＰＤ）、プログラマブル論理デバイス（ＰＬＤ）、フィールドプログラマブルゲートアレイ（ＦＰＧＡ）、プロセッサ、制御器、マイクロ制御器、マイクロプロセッサ、電子デバイス、ここに説明した機能を実行するように設計された他の電子ユニット、またはそれらの組合せの中で実施されるかもしれない。また、基地局の処理ユニットは１つ以上のＡＳＩＣ、ＤＳＰ、プロセッサなどの中で実施されるかもしれない。プロセッサ５３０が図８のプロセス８００を実施し、プロセッサ５６０が図１０のプロセス１０００を実施し、プロセッサ５２０が図１２のプロセス１２００を実施するかもしれない。
【０１１３】
ファームウェア、および／または、ソフトウェアの実施において、本技術は、ここに説明した機能を実行するモジュール（例えば、手順、機能など）で実施されるかもしれない。ソフトウェアコードは、メモリー（例えば、図５のメモリー５３２または５７２）に格納され、プロセッサ（例えば、プロセッサ５３０または５７０）によって実行されるかもしれない。このメモリーは、プロセッサ内またはプロセッサ外部で実施されるかもしれない。
【０１１４】
開示された実施例のこれまでの説明は、通常の当業者が本発明を製造しまたは使用することを可能にするように提供されている。これらの実施例への種々の変形は当業者に容易に明らかになるだろう。また、ここに定義した一般的原理は本発明の精神または範囲から逸脱することなく他の実施例に適用されるかもしれない。したがって、本発明は、ここに示した実施例に限定されることを意図されていず、ここに開示された原理および新規な特徴と矛盾しない最も広い範囲に一致することである。
以下に、本願出願の当初の特許請求の範囲に記載された発明を付記する。
[Ｃ１]
制御セグメントが送られるフレームを決定するように、並びに制御セグメントが送られる各フレームに関して、もしあれば、そのフレーム内の制御セグメントで送られるべき信号チャネルのための信号を処理するように、および処理された信号をフレーム内の制御セグメントに用いられる時間-周波数領域へマッピングするように構成された少なくとも１つのプロセッサと、
少なくとも１つのプロセッサに接続されたメモリーとを含む装置。
[Ｃ２]
複数の端末からの信号が、符号分割多重接続（ＣＤＭＡ）方式を用いて制御セグメントで送られるＣ１に記載の装置。
[Ｃ３]
制御セグメントが、Ｑを１より大きい整数として、Ｑフレーム毎に送られるＣ１に記載の装置。
[Ｃ４]
制御セグメントは、制御セグメントが送られる各フレームのフレーム全体に広がるＣ１に記載の装置。
[Ｃ５]
各フレームが複数のサブバンドをカバーし、かつ制御セグメントが、設定可能なサイズを有し、整数のサブバンドで送られるＣ１に記載の装置。
[Ｃ６]
信号チャネルの各々に関して、少なくとも１つのプロセッサが、符号化されたメッセージを得るために信号チャネル用メッセージを符号化し、かつ符号化されたメッセージを信号チャネルのためのチャネル化符号でチャネル化するように構成されたＣ１に記載の装置。
[Ｃ７]
信号チャネルの各々に関して、少なくとも１つのプロセッサが、メッセージを複数のウォルシュシーケンスの１つへマッピングすることによって信号チャネルのためのメッセージを符号化するように構成されたＣ６に記載の装置。
[Ｃ８]
信号チャネルの各々に関して、少なくとも１つのプロセッサが、信号チャネルのインデックスと信号チャネルを受信するように意図された基地局の識別子とに基づいて信号チャネルのためのチャネル化符号を生成するように構成されたＣ６に記載の装置。
[Ｃ９]
信号チャネルのためのメッセージが同じ長さを有するＣ１に記載の装置。
[Ｃ１０]
少なくとも１つのプロセッサが、信号チャネルの信号を少なくとも１つのスクランブル用シーケンスでスクランブルするように構成されたＣ１に記載の装置。
[Ｃ１１]
少なくとも１つのプロセッサが、信号チャネルを受信するように意図された基地局の識別子に基づいて少なくとも１つのスクランブル用シーケンスの１つを生成するように構成されたＣ１０に記載の装置。
[Ｃ１２]
少なくとも１つのプロセッサが、信号チャネルを送る端末の識別子と信号チャネルを受信するように意図された基地局の識別子とに基づいて少なくとも１つのスクランブル用シーケンスの１つを生成するように構成されたＣ１０に記載の装置。
[Ｃ１３]
少なくとも１つのプロセッサが、信号チャネルのための信号を結合し、結合された信号を周波数ドメインに変換して信号シンボルを得、および信号シンボルをフレーム内の制御セグメントに用いられる時間-周波数領域へマッピングするように構成されたＣ１に記載の装置。
[Ｃ１４]
信号チャネルが、チャネル品質指標（ＣＱＩ）を搬送する信号チャネルを含むＣ１に記載の装置。
[Ｃ１５]
少なくとも１つのプロセッサが、ＣＱＩを搬送する信号チャネルを複数の基地局へ送るように構成されたＣ１４に記載の装置。
[Ｃ１６]
信号チャネルが、ビーム成形用フィードバック情報を搬送する信号チャネルを含むＣ１に記載の装置。
[Ｃ１７]
信号チャネルが、複数のサブバンドの中の少なくとも１つのサブバンドのチャネル品質を示すフィードバック情報を搬送する信号チャネルを含むＣ１に記載の装置。
[Ｃ１８]
信号チャネルが、多入力多出力（ＭＩＭＯ）チャネルの複数空間チャネルに対するフィードバック情報を搬送する信号チャネルを含むＣ１に記載の装置。
[Ｃ１９]
少なくとも１つのプロセッサが、フレーム内の制御セグメントで送られるべき信号チャネルを、各信号チャネルの平均送信インタバルに基づいて決定するように構成されたＣ１に記載の装置。
[Ｃ２０]
制御セグメントが、フレームからフレームへ周波数を横断的にホッピングするＣ１に記載の装置。
[Ｃ２１]
少なくとも１つのプロセッサが、トラヒックチャネルに用いられる副搬送波を決定し、制御セグメントに割り当てられた副搬送波を決定し、およびトラヒックチャネルが制御セグメントと衝突する場合、トラヒックチャネルを制御セグメントに割り当てられた副搬送波へマッピングするように構成されたＣ１に記載の装置。
[Ｃ２２]
制御セグメントが送られるフレームを決定することと、
制御信号が送られる各フレームに関して、
フレーム内の制御セグメントで送られるべき信号チャネルのための信号を処理することと、
処理された信号を、フレーム内の制御セグメントに用いられる時間-周波数領域へマッピングすることとを含む方法。
[Ｃ２３]
信号チャネルのための信号を処理することが、
信号チャネルの各々のメッセージを複数のウォルシュシーケンスの中の１つのウォルシュシーケンスへマッピングすることと、
各信号チャネルに対するウォルシュシーケンスを信号チャネルのためのチャネル化符号でチャネル化することとを含むＣ２２に記載の方法。
[Ｃ２４]
信号チャネルのための信号を処理することが、
信号チャネルのインデックスと信号チャネルを受信するように意図された基地局の識別子とに基づいて、各信号チャネルのためのチャネル化符号を生成することを含むＣ２３に記載の方法。
[Ｃ２５]
信号チャネルのための信号を処理することが、
信号チャネルのための信号を少なくとも１つのスクランブル用シーケンスでスクランブルすることを含むＣ２２に記載の方法。
[Ｃ２６]
信号チャネルのための信号を処理することが、
信号チャネルを送っている端末の識別子と信号チャネルを受信するように意図された基地局の識別子とに基づいて、少なくとも１つのスクランブル用シーケンスの１つを生成することを含むＣ２５に記載の方法。
[Ｃ２７]
信号チャネルのための信号を処理することが、
信号チャネルのための信号を結合することと、
信号シンボルを得るために、結合された信号を周波数ドメインに変換することと、
信号シンボルをフレーム内の制御セグメントに用いられる時間-周波数領域へマッピングすることとを含むＣ２２に記載の方法。
[Ｃ２８]
制御セグメントが送られるフレームを決定するための手段と、
制御セグメントが送られる各フレームを処理するための手段であって、
前記フレーム内の制御セグメントで送られるべき信号チャネルのための信号を処理するための手段と、
処理された信号をフレーム内の制御セグメントに用いられる時間-周波数領域へマッピングするための手段とを含む装置。
[Ｃ２９]
信号チャネルのための信号を処理するための手段が、
信号チャネルの各々のメッセージを複数のウォルシュシーケンスの中の１つのウォルシュシーケンスへマッピングするための手段と、
各信号チャネルに対するウォルシュシーケンスを信号チャネルのためのチャネル化符号でチャネル化するための手段とを含むＣ２８に記載の装置。
[Ｃ３０]
信号チャネルのための信号を処理するための手段が、
信号チャネルのインデックスおよび信号チャネルを受信するように意図された基地局の識別子に基づいて、各信号チャネルのためのチャネル化符号を生成するための手段を含むＣ２９に記載の装置。
[Ｃ３１]
信号チャネルのための信号を処理するための手段が、
信号チャネルのための信号を少なくとも１つのスクランブル用シーケンスでスクランブルするための手段を含むＣ２８に記載の装置。
[Ｃ３２]
信号チャネルのための信号を処理するための手段が、
信号チャネルを送っている端末の識別子と信号チャネルを受信するように意図された基地局の識別子とに基づいて、少なくとも１つのスクランブル用シーケンスの１つを生成するための手段を含むＣ３１に記載の装置。
[Ｃ３３]
複数の信号チャネルのメッセージを複数のチャネル化符号でチャネル化し、チャネル化されたメッセージを少なくとも１つのスクランブリング符号でスクランブルし、およびスクランブルされたメッセージを制御セグメントに用いられる時間-周波数領域へマッピングするように構成された少なくとも１つのプロセッサと、
少なくとも１つのプロセッサに接続されたメモリーとを含む装置。
[Ｃ３４]
少なくとも１つのプロセッサが、擬似乱数（ＰＮ）発生器と複数の信号チャネルに対する異なるシード値とに基づいて、複数の信号チャネルのための複数のチャネル化符号を生成するように構成されたＣ３３に記載の装置。
[Ｃ３５]
少なくとも１つのプロセッサが、複数の信号チャネルを送る端末の識別子と複数の信号チャネルを受信するように意図された基地局の識別子とに基づいて、少なくとも１つのスクランブル用シーケンスの１つを生成するように構成されたＣ３３に記載の装置。
[Ｃ３６]
少なくとも１つのプロセッサが、複数の信号チャネルのメッセージをウォルシュシーケンスへマッピングするように、および前記ウォルシュシーケンスを複数のチャネル化符号でチャネル化するように構成されたＣ３３に記載の装置。
[Ｃ３７]
複数の信号チャネルが、異なる形式のフィードバック情報を搬送し、かつ複数の信号チャネルに対するメッセージが、チャネル品質指標（ＣＱＩ）、ビーム成形用フィードバック情報、サブバンドフィードバック情報またはそれらの組合せを搬送するＣ３３に記載の装置。
[Ｃ３８]
制御セグメントが送られるフレームを決定し、並びに制御セグメントが送られる各フレームに関して、そのフレーム内の制御セグメントに用いられる時間-周波数領域から受信されたシンボルを抽出し、端末によってフレーム内の制御セグメントで送られる可能性のある信号チャネルを決定し、および端末によって送られる信号を復元するために、送られる可能性のある信号チャネルの受信シンボルを処理するように構成された少なくとも１つのプロセッサと、
前記少なくとも１つのプロセッサに接続されたメモリーとを含む装置。
[Ｃ３９]
複数の端末からの信号が、符号分割多重接続（ＣＤＭＡ）方式を用いて制御セグメントで送られるＣ３８に記載の装置。
[Ｃ４０]
制御セグメントが、Ｑを１より大きい整数として、Ｑフレーム毎に送られるＣ３８に記載の装置。
[Ｃ４１]
制御セグメントが、制御セグメントが送られる各フレームのフレーム全体にわたるＣ３８に記載の装置。
[Ｃ４２]
少なくとも１つのプロセッサが、受信サンプルを得るために受信シンボルを時間ドメインへ変換し、およびその受信サンプルを少なくとも１つのスクランブル用シーケンスでデスクランブルするように構成されたＣ３８に記載の装置。
[Ｃ４３]
少なくとも１つのプロセッサが、端末の識別子と制御セグメントを受信する基地局の識別子とに基づいて、少なくとも１つのスクランブル用シーケンスの１つを生成するように構成されたＣ４２に記載の装置。
[Ｃ４４]
送られた可能性のある信号チャネルの各々に関して、少なくとも１つのプロセッサが、チャネル化したサンプルを得るために、信号チャネルのチャネル化符号でチャネル化を実行し、および信号チャネルに対するメッセージを復元するためにチャネル化したサンプルを復号するように構成されたＣ３８に記載の装置。
[Ｃ４５]
送られた可能性のある信号チャネルの各々に関して、少なくとも１つのプロセッサが、チャネル化されたサンプルを複数のウォルシュシーケンスの中の１つのウォルシュシーケンスへマッピングし、および前記ウォルシュシーケンスに関係づけられたメッセージを、信号チャネルに対する復元されたメッセージとして出力するように構成されたＣ４４に記載の装置。
[Ｃ４６]
送られた可能性のある信号チャネルの各々に関して、少なくとも１つのプロセッサが、信号チャネルのインデックスと信号チャネルを受信するように意図された基地局の識別子とに基づいて、信号チャネルに対するチャネル化符号を生成するように構成されたＣ４４に記載の装置。
[Ｃ４７]
制御セグメントが送られるフレームを決定することと、
制御セグメントが送られる各フレームに関して、
フレーム内の制御セグメントに用いられる時間-周波数領域から受信シンボルを抽出することと、
端末によってそのフレーム内の制御セグメントで送られた可能性のある信号チャネルを決定することと、
端末によって送られた信号を復元するために、送られた可能性のある信号チャネルの受信シンボルを処理することとを含む方法。
[Ｃ４８]
送られた可能性のある信号チャネルの受信シンボルを処理することが、
受信サンプルを得るために受信シンボルを時間ドメインに変換することと、
受信サンプルを少なくとも１つのスクランブル用シーケンスでデスクランブルすることとを含むＣ４７に記載の方法。
[Ｃ４９]
送られた可能性のある信号チャネルの受信シンボルを処理することが、送られた可能性のある各信号チャネルに関して、
チャネル化されたサンプルを得るために、信号チャネルのチャネル化符号でチャネル化を実行することと、
前記チャネル化されたサンプルを複数のウォルシュシーケンスの中の１つのウォルシュシーケンスへマッピングすることと、
前記ウォルシュシーケンスに関係づけられたメッセージを信号チャネルの復元されたメッセージとして出力することとを含むＣ４７に記載の方法。
[Ｃ５０]
制御セグメントが送られるフレームを決定するための手段と、
制御セグメントが送られる各フレームを処理するための手段であって、
そのフレーム内の制御セグメントに用いられる時間-周波数領域から受信シンボルを抽出するための手段と、
端末によってフレーム内の制御セグメントで送られた可能性のある信号チャネルを決定するための手段と、
端末によって送られた信号を復元するために、送られた可能性のある信号チャネルの受信シンボルを処理するための手段とを含む装置。
[Ｃ５１]
送られた可能性のある信号チャネルの受信シンボルを処理するための手段が、
受信サンプルを得るために、受信シンボルを時間ドメインへ変換するための手段と、
受信サンプルを少なくとも１つのスクランブル用シーケンスでデスクランブルするための手段とを含むＣ５０に記載の装置。
[Ｃ５２]
送られた可能性のある信号チャネルの受信シンボルを処理するための手段が、送られた可能性のある各信号チャネルに関して、
信号チャネルのチャネル化符号を用いてチャネル化を実行するための手段と、
チャネル化されたサンプルを複数のウォルシュシーケンスの中の１つのウォルシュシーケンスへマッピングするための手段と、
前記ウォルシュシーケンスに関係づけられたメッセージを信号チャネルの復元されたメッセージとして出力するための手段とを含むＣ５０に記載の装置。
[Ｃ５３]
制御セグメントのための送信パラメータを決定するように、制御セグメントに対して動作可能にされた信号チャネルを決定し、並びに制御セグメントの送信パラメータおよび制御セグメントに対して動作可能にされた信号チャネルを示す制御情報を送るように構成された、少なくとも１つのプロセッサと、
少なくとも１つのプロセッサに接続されたメモリーとを含む装置。
[Ｃ５４]
複数の端末からの信号が、符号分割多重接続（ＣＤＭＡ）方式を用いて制御セグメントで送られる、Ｃ５３に記載の装置。
[Ｃ５５]
少なくとも１つのプロセッサが、制御セグメントに対して動作可能にされた信号チャネルの各々のための平均送信インタバルを決定するように構成されたＣ５３に記載の装置。
[Ｃ５６]
少なくとも１つのプロセッサが、少なくとも１つの端末の各々に対して動作可能にされた信号チャネルを決定するように構成されたＣ５３に記載の装置。
[Ｃ５７]
制御セグメントの送信パラメータが、制御セグメントのサイズおよび制御セグメントが送られるフレームを示すＣ５３に記載の装置。
【図１】
0005485305.tif 000017
【図２Ａ】
0005485305.tif 000018
【図２Ｂ】
0005485305.tif 000019
【図３Ａ】
0005485305.tif 000020
【図３Ｂ】
0005485305.tif 000021
【図３Ｃ】
0005485305.tif 000022
【図４】
0005485305.tif 000023
【図５】
0005485305.tif 000024
【図６】
0005485305.tif 000025
【図７】
0005485305.tif 000026
【図８】
0005485305.tif 000027
【図９】
0005485305.tif 000028
【図１０】
0005485305.tif 000029
【図１１】
0005485305.tif 000030
【図１２】
0005485305.tif 000031
【図１３】
0005485305.tif 000032